(57)【要約】【課題】  ロータリー式エンコーダ部の外径に対して、回転操作キーの外径を任意に設定する事が可能であり、かつ単純な構造で安定的な回転を高さ方向のスペースを増加させる事なく実現する事を目的とする。【解決手段】  基板上に位置決め固定され、円周上に設けられた半円状の溝を有する回転操作キーベースと、前記回転操作キーベース上の溝と同一の円周上に配置され、かつ前記回転操作キーベースの溝半径以下の径を持つ複数の半球上の突起を有する回転操作キー部材と、中央部に配置された回転を検知するロータリー式エンコーダ部とで構成される事を特徴とする回転式操作機構とする。【選択図】  図７
2008123268.tif 000002
【特許請求の範囲】
【請求項１】
基板上に位置決め固定され、円周上に設けられた半円状の溝を有する回転操作キーベースと、
同一基板上の回転操作キーベースの中心部に配置された回転を検知するロータリー式エンコーダと、
前記回転操作キーベースの溝と同一の円周上に、溝半径以下の径を持つ複数の半球上の突起を有する回転操作キー部材とを有し、
前記回転操作キー部材は、複数の半球状の突起部が、前記回転操作キーベース上の溝内に収容されるよう配置されるとともに、前記ロータリエンコーダに回転可能に配置される事を特徴とする回転式操作機構。
【請求項２】
前記ロータリー式エンコーダ部は、回転方向のみ動作可能で、被回転検知部を兼ねる回転体と一体構成され、前記回転操作キー部材と前記ロータリー式エンコーダ部とを前記回転体を介して固定を行う固定部材で構成される事を特徴とする請求項１に記載の回転式操作機構。
【請求項３】
前記固定部材は、ロータリー式エンコーダ及び回転操作キー部材を回転方向及び上下方向のみ同一の動きをするよう固定を行い、ラジアル方向に対しては、ある一定の範囲で稼動可能な事を特徴とする請求項１乃至請求項２に記載の回転式操作機構。
【発明の詳細な説明】
【技術分野】
【０００１】
本発明は、例えばファクシミリ、複写機、インクジェット方式の画像読取記録装置などの各種電子機器の入力操作部に用いられるジョグダイアル等の回転式の操作入力機構に関するものである。
【背景技術】
【０００２】
近年、ホーム用及び携帯用の各種電子機器の操作スイッチには，多くのデータをすばやく検索し、かつ選択を行うために、ロータリー式エンコーダと操作キーにより構成されるジョグダイアルと呼ばれる回転式の円形操作スイッチが使用されている。ユーザーはジョグダイアルを回転させる事により、各種メニューを選択する事が可能である。
【０００３】
従来のジョグダイアルにおいては、スペースの制約から基板上に配置され回転を検知するロータリー式エンコーダ部と、その上に配置された回転操作キー部材で構成されたものが知られている。この場合、ロータリー式エンコーダ部と一体構成された被回転検知部を兼ねる回転部材と、回転操作キーが固定され、一体で回転する事で、ロータリーエンコーダ部で回転を検知する構成（特許文献１）が知られている。この発展した形として、押下検知手段を兼ね備えた構成も知られている。（特許文献2参照）
また、スペースの制約が比較的少ない場合には、摺動受け部材、リング状の摺動乃至は回転部材、抑え部材、押圧部材、回転操作部等で構成され、回転検知部はリング状部材の円周上に配置された構成も知られている。（特許文献３参照）
【特許文献１】特開2001-53854
【特許文献２】特開2005-293488
【特許文献３】特開2002-341955
【発明の開示】
【発明が解決しようとする課題】
【０００４】
しかしながら、従来の構成では以下のような問題があった。基板上に配置された回転を検知するロータリー式エンコーダ部と、その上に配置された回転操作キー部材による構成では、回転操作キー部材に加えられた操作時の力はロータリー式エンコーダ部もしくはロータリー式エンコーダ部との固定部に作用する。そのため、回転操作キー部材の外径がロータリー式エンコーダ部の外径に比べて大きくなる場合、ユーザー操作時の力が加わった時に、両者の外径比に比例して固定部を中心に振れ回りが発生し安定性が悪くなるとともに、両者の固定部に対して大きな応力が発生する。そのため、回転操作キーの外径はロータリー式エンコーダの外径に依存してしまい、操作性あるいはデザイン性の観点から回転操作キーの外径を変更しようとした場合に制約が課せられてしまう。また、もう一方の構成においては、安定的な回転操作を得る事ができるが、部品点数が多く複雑であり、特に高さ方向のスペースを必要とするという課題がある。
【０００５】
本発明は、以上の課題に鑑みてなされたものであり、ロータリー式エンコーダ部の外径に対して、回転操作キーの外径を任意に設定する事が可能であり、かつ単純な構造で安定的な回転を高さ方向のスペースを増加させる事なく実現する事を目的とする。
【課題を解決するための手段】
【０００６】
基板上に位置決め固定され、円周上に設けられた半円状の溝を有する回転操作キーベースと、
前記回転操作キーベース上の溝と同一の円周上に配置され、かつ前記回転操作キーベースの溝半径以下の径を持つ複数の半球上の突起を有する回転操作キー部材と、
中央部に配置された回転を検知するロータリー式エンコーダ部とで構成される事を特徴とする回転式操作機構。
【発明の効果】
【０００７】
以上の構成により、回転操作キーに加えられたユーザー操作時の力を、下方向、ラジアル方向ともに前記ベースの半円状の溝部で受けるため、ロータリー式エンコーダ部での応力の発生等を引き起こす事無く、安定かつスムーズな回転が可能となる。回転操作キーの回転の安定性は、回転操作キーベースに依存するため、回転操作キーベースの外径を変える事で、ロータリー式エンコーダの外径に関わらず、任意の外径での回転操作キーの構成が可能である。また高さ方向のスペースに対しては、回転操作キーベースと回転操作キーの２部品のみでスペースが決まるため、最小限の高さで構成する事が可能である。
【発明を実施するための最良の形態】
【０００８】
以下、本発明による回転式操作機構及びそれを用いた電子機器の実施の形態について、インクジェット記録方式の画像読取記録装置を例にとって図面を参照して説明する。
【０００９】
図１に、本発明の実施形態にかかるインクジェット記録方式の画像読取記録装置の外観斜視図を示す。インクジェット記録方式の画像読取記録装置は、図１に示すように、入力操作パネル部1、スキャナー部2、記録部3、カードスロット部４、原稿圧板部５により構成されている。
【００１０】
図４に入力操作パネル部１の拡大図を示す。入力操作パネル部１には、液晶表示部１０とスキャナー部２や記録部３に対してコピーやスキャン、給紙方法の変更等の各種指示を与えるためのボタン１３やエラー表示や電源ＯＮ等を示すＬＥＤ１４が設けられている。また、この入力操作パネル上には、液晶表示部１０に表示される各種メニューを選択して設定を行うためのジョグダイアル６を備えている。またジョグダイアル６は、液晶表示部に表示される画像の拡大、縮小等の操作を行う等の機能も有する。なお、本発明の実施例においては、ジョグダイアル６の中心には、ジョグダイアル６で選択したメニューを決定するＯＫキー１３aが配置されている。ＯＫキー１３aの下部には、基板上に半田付けされたタクトスイッチ１７が配置されている。また外周側には、ジョグダイアル６によるメニュー選択を補助するためのリングキー１３ｂが配置されており、リングキー１３ｂの下部には、図示しないシート型のスイッチが配置されている。ジョグダイアル６とリングキー１３ｂを適切に使用する事により、ユーザーの操作性を高める事が可能である。一例として、液晶表示部に表示された画像の拡大を行う作業を考えた場合に、ジョグダイアル６で概略の拡大調整を行い、リングキー１３ｂで微調整を行う事で、両者を単独で使用した場合に比べ、素早く意図するサイズに画像を調整する事が可能である。
【００１１】
また、本発明の実施例においては、入力操作パネル部１は、原稿圧板部５の上に配置されている。そのため、入力操作パネル部１は、図２に示すように圧板ヒンジ５１を回転軸として、原稿圧板部５とともに、ある一定角度以下の任意の角度で保持される場合がある。また、図３に示すように、入力操作パネル部１は、スキャナーダンパユニット３１に保持されて、スキャナー部２、原稿圧板部５とともに所定の角度で保持される場合もある。これより、入力操作パネル部１は、ユーザーが様々な保持角度において操作を行う可能性があるため、様々な角度で安定的に動作を行う必要がある。
【００１２】
次にジョグダイアル６の回転機構部の詳細について説明する。図５はジョグダイアルの周辺拡大平面図、図６は図６のＡ−Ａ断面図、図７はジョグダイアル６の回転機構部の分解図である。
【００１３】
図示のように、フレーム１１に固定された基板１６上に回転操作キーベース６２が設けられる。回転操作キーベース６２の形状を図８に示す。回転操作キーベース６２は、下面に設けられた位置決め用の円形の突起形状６２１と基板１６上に設けられた位置決め用の丸穴１６１を勘合させる事により、基板１６に位置決めされるとともに、同じく下面に設けられた爪６２２で基板１６と固定される。また回転操作キーベース６２には、上面の外周側に、円周上に半円形状の溝６２３が設けられている。
【００１４】
回転操作キーベース６２の上には、円筒状の回転操作キー部材６１が設けられる。回転操作キー部材６１は、パネルカバー１２と同一高さ面もしくは若干量突き出る構成となっており、ユーザーは上側から下方向に力をかけて回転操作を行う事は可能であるが、下側から上側に引っ張り上げる動作をする事はできない構成となっている。回転操作キー部材６１を図９に示す。図示するように、回転操作キー部材６１には、回転操作キーベース６２の溝６２３と同一径の円周上に、溝６２３と同一径以下の径を持つ複数の半球上の突起６１１が設けられている。回転操作キー部材６１は、回転操作キーベース６２の溝６２３に半球状の突起６１１が勘合された状態で、摺動しながら溝６２３に案内されながら回転を行う。これにより、回転操作キー部材６１に加えられたユーザー操作時の力をベースで受ける事が可能になるとともに、ラジアル方向にがたつく事なく安定して回転する事が可能となる。ここで、回転操作キーベース６２の材質をＰＯＭ、ナイロン等の耐摺動性の材質とする事で、スムーズな回転と耐久性を得る事が可能となる。なお、回転操作キー部材６１に設けられる半球状の突起６１１の数は、図示の数には限定されない。
【００１５】
また、回転操作キー部材６１は、基板上に半田付けされ固定されたスイッチ、例えば光電式もしくは摺動接点方式のロータリー式エンコーダ１８と固定部材６３を介して固定されている。なお、ロータリー式エンコーダ１８には、エンコーダ部１８２と一体構成され、回転方向のみ動作可能で被回転検知部を兼ねる回転体１８１が備えられており、固定部材６３は回転体１８１と固定されている。これより、ユーザーが回転操作キー部材６１を回転操作する事により、固定部材６３と回転体１８１が一体動作する事で、ロータリー式エンコーダ１８で回転を認識する事が可能となる。回転量及び回転方向に応じて、ロータリー式エンコーダ部１８からパルス信号を発生する。発生したパルス信号に応じて液晶表示部１０に表示された各種メニューが上下方向あるいは回転方向にスクロールを行ったり、液晶表示部１０に表示された画像の拡大、縮小等を行ったりするように構成されている。また、この構成により、ロータリー式エンコーダ１８、固定部材６３、回転操作キー部材６１の順番で基板上に一体となって固定されるため、入力操作パネル部１が図２、図３に示すように、角度を持って保持された場合においても外れる事はない。
【００１６】
また、回転をよりスムーズに行わせるためには、固定部材６３と回転体１８１の固定を回転方向とスラスト方向に対してのみがたつきの無いように固定を行い、ラジアル方向に対しては、ある一定の範囲で稼動可能な構成とする事が望ましい。このような構成をとる事で、回転操作キー部材６１は、ラジアル方向においては、回転操作キーベース６２の溝６２３に対して位置が決まるため、回転操作キーベース６２の溝と回転操作キー部材６１の半球上の突起６１１が片当たりする事を防ぐ事が可能となり、片当たりにより回転操作が重くなる等の問題を回避できる。
【図面の簡単な説明】
【００１７】
【図１】本発明の実施例にかかる回転式操作機構を備えたインクジェット記録方式の画像読取記録装置の外観図である。
【図２】本発明の実施例にかかる回転式操作機構を備えたインクジェット記録方式の画像読取記録装置の原稿厚板開時における外観図である。
【図３】本発明の実施例にかかる回転式操作機構を備えたインクジェット記録方式の画像読取記録装置のスキャナー開時における外観図である。
【図４】本発明の実施例にかかる入力操作パネル部１の拡大図
【図５】本発明の実施例にかかるジョグダイアル６周辺の拡大平面図である。
【図６】図５のＡ−Ａ線断面図である。
【図７】本発明の実施例にかかるジョグダイアル６の回転機構部の分解図である。
【図８】本発明の実施例にかかるジョグダイアル６を構成するベース６２の形状である。
【図９】本発明の実施例にかかるジョグダイアル６を構成する回転操作キー部材６１の形状である。
【符号の説明】
【００１８】
１  入力操作パネル部
２  スキャナー部
３  記録部
４  カードスロット部
５  原稿圧板部
６  ジョグダイアル部
１０  液晶表示部
１３  操作キー
１４  ＬＥＤ
１６  基板
１７  タクトスイッチ
１８  ロータリー式エンコーダ
３１  スキャナーダンパユニット
５１  圧板ヒンジ
６１  回転操作キー部材
６２  回転操作キーベース
６３  固定部材
【図１】
2008123268.tif 000003
【図２】
2008123268.tif 000004
【図３】
2008123268.tif 000005
【図４】
2008123268.tif 000006
【図５】
2008123268.tif 000007
【図６】
2008123268.tif 000008
【図７】
2008123268.tif 000009
【図８】
2008123268.tif 000010
【図９】
2008123268.tif 000011